(57)【要約】【課題】本発明は、検出効率が高い電磁干渉検出装置を提供する。【解決手段】本発明の電磁干渉検出装置は、電子装置の輻射強度が所定の電磁輻射基準を満たしているかどうか検出し、前記電子装置を支持する回転台と、予備検出分析器及び最終検出分析器と、を備える。また、前記電磁干渉検出装置は、さらにアンテナ配列も備え、前記アンテナ配列は、異なる高さから、それぞれ待機中の検査装置が出した異なる極性の信号を同時に受信し、前記予備検出分析器は、受信した異なる極性の信号から、所定の電磁輻射基準を超える周波数端を選び出し、前記アンテナ配列と前記最終検出分析器とを合わせて、前記電子装置が前記周波数端において出した信号の強度が、前記電磁輻射基準を超えているかどうか判定する。【選択図】図１
2013015520.tif 000002
【特許請求の範囲】
【請求項１】
電子装置の輻射強度が所定の電磁輻射基準を満たしているかどうか検出し、前記電子装置を支持する回転台と、予備検出分析器及び最終検出分析器と、を備える電磁干渉検出装置において、前記電磁干渉検出装置は、さらにアンテナ配列も備え、前記アンテナ配列は、異なる高さからそれぞれ待機中の検査装置が出した異なる極性の信号を同時に受信し、前記予備検出分析器は、受信した異なる極性の信号から、所定の電磁輻射基準を超える周波数端を選び出し、前記アンテナ配列と前記最終検出分析器とを合わせて、前記電子装置が前記周波数端において出した信号の強度が、前記電磁輻射基準を超えているかどうかを判定することを特徴とする電磁干渉検出装置。
【請求項２】
前記アンテナ配列は、複数の予備検出アンテナを備え、前記複数の予備検出アンテナは、現行の電磁干渉の検出基準によって、異なる検出位置及び水平極性及び垂直極性にそれぞれ設置され、前記アンテナ配列は、前記複数の予備検出アンテナによって、異なる高さから水平極性と垂直極性の信号を同時に受信することを特徴とする請求項１に記載の電磁干渉検出装置。
【請求項３】
前記電磁干渉検出装置は、さらに中央処理装置を備え、前記予備検出分析器の数は複数であり、前記複数の予備検出分析器は中央処理装置とそれぞれ接続し、且つ一つの前記予備検出アンテナとそれぞれ接続し、前記複数の予備検出分析器は各々の予備検出アンテナが受信した信号の最大値を、前記中央処理装置に送り、該中央処理装置によって電子装置輻射の異なる極性の信号の中で、前記電磁輻射基準を超える周波数端を選び出すことを特徴とする請求項２に記載の電磁干渉検出装置。
【請求項４】
前記予備検出分析器は、スペクトラムアナライザであることを特徴とする請求項３に記載の電磁干渉検出装置。
【請求項５】
前記アンテナ配列は、さらに前記最終検出分析器と接続する最終検出アンテナを備え、前記最終検出アンテナは、前記電子装置輻射の最大強度の信号を受信し、前記最終検出分析器によって、前記電磁輻射基準を超える周波数端に対応する前記最大強度の信号が、前記電磁輻射基準を超えるかどうか判定することを特徴とする請求項２に記載の電磁干渉検出装置。
【請求項６】
前記最終検出分析器は、レシーバーであることを特徴とする請求項２に記載の電磁干渉検出装置。
【請求項７】
前記電子装置は、前記回転台の中心に設置され、前記予備検出アンテナ及び最終検出アンテナは、前記回転台の中心を軸としてその中央に設置され、且つ前記電子装置と所定の距離を維持することを特徴とする請求項５に記載の電磁干渉検出装置。
【請求項８】
前記電子装置は前記回転台と共に一度回転し、前記最終検出アンテナが、前記レシーバーによって最大強度の信号を受信する際、前記回転台に対する角度を確認し、且つその角度を維持し、同時に前記最終検出アンテナは、所定の周波数端の極性を維持し、直立方向で移動し、前記レシーバーによって最大強度の信号を受信する高さを確認してその高さを維持し、この時、前記レシーバーからの信号は、前記電子装置の前記極性の周波数端の最大の信号であることを特徴とする請求項５に記載の電磁干渉検出装置。
【請求項９】
前記最終検出アンテナは固定機構によって固定され、該固定機構と共に回転して、異なる極性に切り替わり、直立方向に電子装置輻射の最大強度の信号の高さに移動することを特徴とする請求項８に記載の電磁干渉検出装置。
【請求項１０】
前記複数の予備検出アンテナは、アンテナ座によって固定され、各々の前記アンテナ座の二つのアンテナ極性は異なることを特徴とする請求項２に記載の電磁干渉検出装置。
【発明の詳細な説明】
【技術分野】
【０００１】
本発明は、電子装置の性能測定装置であり、特に電磁干渉検出装置に関するものでる。
【背景技術】
【０００２】
従来、電子装置に対する電磁干渉検出のステップは、予備検出ステップ及び最終検出ステップからなる。前記予備検出ステップにおいて、基準を超えた前記電子装置の輻射が含まれている周波数端を選び出し、前記最終検出ステップにおいて、再度各々の周波数端における前記電子装置の輻射が基準を超えているかどうかを検出する。
【０００３】
一般の予備検出ステップでは、先ず、検出用のアンテナを垂直極性状態に調節した後、該アンテナを順に所定の異なる高さ（例えば１ｍ〜４ｍ）に設置する。次いで、回転台によって、該回転台に固定した待機中の電子装置を一度回転させる。これにより、異なる高さに設置された前記アンテナは、前記電子装置の輻射信号をそれぞれ受信した後、該輻射信号を拡大してスペクトラムアナライザに送信する。該スペクトラムアナライザは、前記周波数端で受信した信号の中で、一番強い信号値だけを終始示し、且つ検出した周波数の範囲内において、前記電子装置の垂直極性状態下での最大の輻射信号の中に含まれている電磁輻射基準を超える周波数端を分析する。次いで、今度は、前記アンテナを水平極性状態に調節した後、前記垂直極性状態の際と同じ上述のステップを繰り返し、水平極性状態下での最大の輻射信号の中に含まれている電磁輻射基準を超える周波数端を分析する。
【０００４】
最終検出ステップでは、前記電子装置の垂直極性状態下での周波数端が、電磁輻射基準を超えた際、前記アンテナを垂直極性に設置し、前記アンテナのレシーバーを前記周波数端の信号を受信できる高さに調整する。次いで、前記電子装置を前記回転台と共に、再度、一回転させて、前記アンテナが最大の信号を受信した際の、前記レシーバーと前記回転台との角度位置（最大発射角度）を確認し、且つ前記回転台を最大発射角度に維持させる。次いで、前記アンテナを前記受信できる最も高い位置まで移動させて、前記アンテナが受信できる信号強度を最大にする。この際の信号強度の最大値は垂直極性状態下における前記電子装置の最大の輻射強度であり、該輻射強度が電磁基準を超えれば、その電子装置は不合格である。また、前記電子装置の水平極性状態下においても電磁基準を超えた際は、前記アンテナを水平極性に調節した後、前記垂直極性状態下と同じ上記のステップを繰り返して、前記電子装置の最大の輻射強度が現行の電磁輻射基準を超えるかどうかを判定する。以上のステップを介して、前記電子装置の垂直極性及び水平極性の輻射強度を確認し、その輻射強度が基準を超えるかどうか、且つ前記電子装置が合格であるかどうかを判定する。最初の検出において、前記電子装置の電磁輻射基準を超えない場合はここで終了するが、しかし、このような検出方法の最初の検出ステップにおいて、前記アンテナを垂直極性及び水平極性状態の下、前記電子装置の輻射強度に対して各々異なる高さからそれぞれ検出しなければならないので、検出効率が低く、且つそのコストは高い。
【発明の概要】
【発明が解決しようとする課題】
【０００５】
以上の問題点に鑑みて、本発明は、検出効率が高い電磁干渉検出装置を提供することを目的とする。
【課題を解決するための手段】
【０００６】
本発明の電磁干渉検出装置は、電子装置の輻射強度が所定の電磁輻射基準を満たしているかどうか検出し、前記電子装置を支持する回転台と、予備検出分析器及び最終検出分析器と、を備える。また、前記電磁干渉検出装置はさらにアンテナ配列も備え、前記アンテナ配列は、異なる高さからそれぞれ待機中の検査装置が出した異なる極性の信号を同時に受信し、前記予備検出分析器は、受信した異なる極性の信号から、所定の電磁輻射基準を超える周波数端を選び出し、前記アンテナ配列と前記最終検出分析器とを合わせて、前記電子装置が前記周波数端において出した信号の強度が、前記電磁輻射基準を超えているかどうか判定する。
【発明の効果】
【０００７】
本発明の電磁干渉検出装置には、異なる受信位置及び異なる極性に対応する一つの予備検出アンテナがそれぞれ設置され、前記電子装置が前記回転台と共に一度回転する際、前記予備検出アンテナは、異なる位置で受信した信号強度及び異なる極性の信号強度を受信し、次いで、前記予備検出分析器と前記中央処理装置と、を合わせて、電磁輻射基準の周波数端を超えている前記電子装置の周波数端を選び出す。本発明の、前記電磁干渉検出装置の検出にかかる時間は、現有の検出方法の予測検出にかかる時間の８分の１である。従って検出効率を高めることができる。
【図面の簡単な説明】
【０００８】
【図１】本発明に係る電磁干渉検出装置の構造を示す図である。
【図２】図１に示した電磁干渉検出装置の別の角度から見た図である。
【図３】図１に示したアンテナの配列を示した図である。
【発明を実施するための形態】
【０００９】
以下、図面に基づいて、本発明に係る電磁干渉検出装置について詳細に説明する。
【００１０】
図１及び図２に示したように、本発明に係る電磁干渉検出装置１００は、電子装置２００（例えば携帯電話や、パソコンなど）から輻射される電磁波による電磁干渉を検出し、前記電子装置２００の輻射が基準を超えるかどうか判定する。また、前記電磁干渉検出装置は、回転台１０と、アンテナ配列３０と、複数の予備検出分析器５０及び最終検出分析器７０と、を備える。前記回転台１０は前記電子装置２００を支持し、前記アンテナ配列３０は、９つの予備検出アンテナ３１及び一つの最終検出アンテナ３３を備える。前記９つの予備検出アンテナ３１は、前記複数の予備検出分析器５０とそれぞれ連結し、且つ現行の電磁干渉の検出基準に従って、所定の異なる高さ（例えば１ｍ〜４ｍ）の水平極性と垂直極性にそれぞれ布設される。これにより、前記９つの予備検出アンテナ３１は、それぞれ異なる高さから、前記電子装置２００の輻射の水平極性と垂直極性の電磁波信号を受信する。前記９つの予備検出アンテナ３１は、対応する前記複数の予備検出分析器５０とそれぞれ合わさり、前記電子装置２００の水平極性及び垂直極性下での前記電子装置２００の輻射強度の、所定の電磁輻射基準の周波数端を超えた信号を選び出す。また、前記最終検出アンテナ３３及び前記最終検出分析器７０は、前記電子装置２００の電磁輻射の基準値を超えた周波数端に対して最終検出を行い、前記電子装置２００の電磁輻射が基準を満たしているかどうかを判定する。
【００１１】
検出中の前記電子装置２００は、前記回転台１０の中心に位置し、該回転台によって、回転する。また、前記９つ予備検出アンテナ３１及び最終検出アンテナ３３は、前記回転台１０の中心を軸としてその中央に設置され、さらに、互いに現行の検出基準距離である距離（例えば１０ｍ）を開けて設置され、前記電子装置２００が、前記回転台１０と共に回転する際、前記予備検出アンテナ３１及び最終検出アンテナ３３は、互いに現行の検出基準距離である距離（例えば１０ｍ）を維持する。
【００１２】
図３に示したように、前記８つの予備検出アンテナ３１は、４つのアンテナ座３１１にそれぞれ設置され、各々の前記４つのアンテナ座３１１は、二つの前記予備検出アンテナ３１をそれぞれ支持する。各々の前記４つのアンテナ座３１１に設置された二つの前記予備検出アンテナ３１の極性（水平極性又は垂直極性）は同じであり、且つ一定の距離を置いて設置される。従って、異なる前記アンテナ座３１１間の前記予備検出アンテナ３１の相互結合効果、又は同じ前記アンテナ座３１１間の前記予備検出アンテナ３１の相互結合効果を低減することができる。
【００１３】
前記最終検出アンテナ３３は固定機構３３１に設置され、且つ前記固定機構３３１によって以下の機能を実現する。機能１：前記最終検出アンテナ３３は前記固定機構３３１によって水平極性又は垂直極性の間で切り替わる。前記最終検出アンテナ３３は前記固定機構３３１によって所定の高さの範囲内（例えば１ｍ〜４ｍ）で直立方向に自由に昇降し、且つ最終検出のステップにおいて、所定の極性状態で受信できる高さまで移動する。
【００１４】
前記最終検出アンテナ３３は、前記固定機構３３１によって、前記８つの予備検出アンテナ３１の間に固定され、前記最終検出アンテナ３３に近い両側には、垂直極性の前記予備検出アンテナ３１が設置され、さらにその外側には水平極性の前記予備検出アンテナ３１がそれぞれ設置されることで、前記予備検出アンテナ３１が水平極性の状態において検出する際、両側の前記予備検出アンテナ３１も水平極性に設置されて、高相互結合効果が発生することを避けることができる。
【００１５】
前記各々の予備検出分析器５０は、所定の検出周波段（例えば３０ＭＨｚ−１０００ＭＨｚ）において、それぞれ異なる高さにある前記予備検出アンテナ３１が送信した信号を受信し、並びに前記所定の検出周波段の範囲において、異なる高さから受信した最大強度の信号を表示して、該最大強度の信号が所定の電磁輻射基準の周波数端を超えた場合、所定の電磁輻射基準の周波数端によって、前記電子装置１００の前記周波数端の範囲からの輻射のうち電磁輻射の基準を超えている周波数を確認する。前記８つの予備検出分析器５０は掃引周波数の機能を持つスペクトラムアナライザであり、該予備検出分析器５０によって、所定の周波段の範囲において、前記電子装置１００の輻射の電磁輻射基準を超える周波数端を選び出す。
【００１６】
また、前記電磁干渉検出装置１００は中央処理装置９０も備え、該中央処理装置９０は、全ての前記予備検出分析器５０と連接される。これにより、各々の前記予備検出分析器５０は、各々の前記予備検出アンテナ３１が受信した信号の最大値を前記中央処理装置９０に送ることができる。次に、前記中央処理装置９０内に取り付けられたソフトウェアのプログラムによって、前記電子装置１００の輻射の電磁輻射基準を超えている周波数端を選び出す。
【００１７】
前記最終検出分析器７０は、前記最終検出アンテナ３３が受けた信号を受信又は表示する。従って、使用者は、前記最終検出分析器７０が表示した前記周波数端における前記電子装置１００の輻射が電磁輻射基準を超えているかどうかを確認することができる。前記最終検出分析器７０はレシーバーである。
【００１８】
前記電磁干渉検出装置１００は、前記電子装置２００に対して検出を行う際、予備検出ステップ及び最終検出ステップと、を備える。前記予備検出ステップでは、先ず、各々の前記予備検出分析器５０と、該予備検出分析器５０に対応する前記予備検出アンテナ３１及び前記中央処理装置９０と、を接続する。次いで、前記電子装置２００を前記回転台１０の中央に設置する。この時、前記アンテナ配列３０は、前記回転台１０及び前記電子装置２００と所定の距離（例えば１０ｍ）を維持する。前記電子装置２００は、前記回転台１０と共に一度回転し、同時に、前記予備検出アンテナ３１は、該電子装置２００の回転中に、前記電子装置２００が出した信号を受信する。次に、前記予備検出分析器５０は、予測周波段において、前記電子装置２００の回転中に出した最大強度信号を記録し、その記録を前記中央処理装置９０に送る。次いで、前記中央処理装置９０内に取り付けられたソフトウェアプログラムによって、前記電子装置２００の輻射の水平極性信号及び垂直極性信号の中から、電磁輻射基準を超えている周波数端を選び出す。前記最終検出ステップは、従来の最終検出ステップと同じであるため、前記最終検出ステップに対する説明はここでは省略する。
【００１９】
前記電磁干渉検出装置１００は、さらに９つのアンプリファイアー（増幅器）８０も備える。各々の前記アンプリファイアー８０は、前記９つの予備検出アンテナ３１と、前記８つの予備検出分析器５０にそれぞれ接続する、又は前記最終検出アンテナ３３と最終検出分析器７０との間に接続して、前記アンテナ配列３０が受信した信号を増幅させる。
【００２０】
本実施形態の前記電磁干渉検出装置１００は、異なる受信位置及び異なる極性に対応する前記９つの予備検出アンテナ３１がそれぞれ設置され、前記電子装置２００が前記回転台１０と共に一度回転する際、前記９つの予備検出アンテナ３１は、異なる位置で受信した信号強度及び異なる極性の信号強度を受信し、次いで、前記予備検出分析器５０と前記中央処理装置９０と、を合わせて、電磁輻射基準の周波数端を超えている前記電子装置２００の周波数端を選び出す。本実施形態において、前記電磁干渉検出装置１００の検出ステップにかかる時間は、現有の検出方法の予測検出にかかる時間の８分の１である。従って検出効率を高めることができる。
【符号の説明】
【００２１】
１００    電磁干渉検出装置
１０      回転台
３０      アンテナ配列
３１      予備検出アンテナ
３１１    アンテナ座
３３      最終検出アンテナ
３３１    固定機構
５０      予備検出分析器
７０      最終検出分析器
８０      アンプリファイアー
９０      中央処理装置
２００    電子装置
【図１】
2013015520.tif 000003
【図２】
2013015520.tif 000004
【図３】
2013015520.tif 000005